(57)【要約】【課題】例えば、シール部材によるシール性能をより高めることができるような、より不都合が少なくなるよう改善された新規な構成の止水板および止水板付きシャッターを得る。【解決手段】本開示の止水板は、例えば、建物開口の少なくとも下部で屋外側と屋内側とを隔てるように、上方を向きかつ建物開口の幅方向に延びた設置面上に設置される止水板であって、内部に屋外側からの水を収容可能な内室が設けられ、屋内側で上下方向かつ幅方向に延びる前面と当該前面の裏側で内室に面した第一内面とを有した前壁と、設置面に面し幅方向に延びた底面と、を有した中空板と、底面に設けられ、幅方向に延び、少なくとも部分的に第一内面から屋外側に離間し、底面と設置面との間をシールするシール部材と、を備えている。【選択図】図４
2020172811.tif 000002
【特許請求の範囲】
【請求項１】
建物開口の少なくとも下部で屋外側と屋内側とを隔てるように、上方を向きかつ前記建物開口の幅方向に延びた設置面上に設置される止水板であって、
内部に屋外側からの水を収容可能な内室が設けられ、屋内側で上下方向かつ前記幅方向に延びる前面と当該前面の裏側で前記内室に面した第一内面とを有した前壁と、前記設置面に面し前記幅方向に延びた底面と、を有した中空板と、
前記底面に設けられ、前記幅方向に延び、少なくとも部分的に前記第一内面から屋外側に離間し、前記底面と前記設置面との間をシールするシール部材と、
を備えた、止水板。
【請求項２】
屋外側に面し前記上下方向かつ前記幅方向に延びた後面と当該後面の裏側で前記内室に面した第二内面とを有した後壁と、
前記底面と前記底面の裏側で前記内室に面した第三内面とを有した底壁と、
を備え、
前記底壁に、前記シール部材と前記第二内面との間で当該底壁を貫通し前記底面に開口された貫通穴が設けられた、請求項１に記載の止水板。
【請求項３】
前記前面の前記幅方向の端部のそれぞれが、当該端部の屋内側に面した支持面によって支持され、
前記建物開口に設置された傾斜面であって前記止水板を下方かつ屋内側へ案内する傾斜面に案内される被案内部が設けられるとともに、前記貫通穴を部分的に覆うカバー部材を備えた、請求項２に記載の止水板。
【請求項４】
前記カバー部材は、さらに、前記底面、前記後面、および前記止水板の前記幅方向の端面の間の角部を覆う、請求項３に記載の止水板。
【請求項５】
前記カバー部材は、さらに、前記止水板のガイドレールに沿って転動可能なローラを支持した、請求項３または４に記載の止水板。
【請求項６】
前記幅方向に延びる複数のスラットが上下方向に並んで接続されたシャッターカーテンと、
前記シャッターカーテンの下端に取り付けられた請求項１〜５のうちいずれか一つに記載の止水板と、
を備えた、止水板付きシャッター。
【発明の詳細な説明】
【技術分野】
【０００１】
本開示は、止水板および止水板付きシャッターに関する。
【背景技術】
【０００２】
従来、建物開口を覆う板状部材と、板状部材の下端部に沿って延び当該下端部と床面に設けられた段差面との間をシールするシール部材と、を備えた止水板が、知られている（例えば、特許文献１参照）。
【先行技術文献】
【特許文献】
【０００３】
【特許文献１】特開２０１３−１５９９１１号公報
【発明の概要】
【発明が解決しようとする課題】
【０００４】
この種の止水板では、例えば、シール部材によるシール性能をより高めることができるような、より不都合が少なくなるよう改善された新規な構成が得られれば、有益である。
【０００５】
そこで、本開示の課題の一つは、例えば、より不都合が少なくなるよう改善された新規な構成の止水板および止水板付きシャッターを得ることである。
【課題を解決するための手段】
【０００６】
本開示の止水板は、例えば、建物開口の少なくとも下部で屋外側と屋内側とを隔てるように、上方を向きかつ上記建物開口の幅方向に延びた設置面上に設置される止水板であって、内部に屋外側からの水を収容可能な内室が設けられ、屋内側で上下方向かつ上記幅方向に延びる前面と当該前面の裏側で上記内室に面した第一内面とを有した前壁と、上記設置面に面し上記幅方向に延びた底面と、を有した中空板と、上記底面に設けられ、上記幅方向に延び、少なくとも部分的に上記第一内面から屋外側に離間し、上記底面と上記設置面との間をシールするシール部材と、を備えている。このような構成によれば、例えば、内室内の水のうちシール部材よりも屋内側に存在する水の重さの分、シール部材に対する上からの押圧力が増大するため、シール部材によるシールに必要な所要の面圧が得られやすい。よって、シール性能を高めることができる。
【０００７】
また、上記止水板は、例えば、屋外側に面し上記上下方向かつ上記幅方向に延びた後面と当該後面の裏側で上記内室に面した第二内面とを有した後壁と、上記底面と上記底面の裏側で上記内室に面した第三内面とを有した底壁と、を備え、上記底壁に、上記シール部材と上記第二内面との間で当該底壁を貫通し上記底面に開口された貫通穴が設けられている。このような構成によれば、例えば、底面において、貫通穴およびシール部材を、互いに干渉することなく、かつそれぞれの作用および効果が得られる位置に、配置することができる。
【０００８】
また、上記止水板では、例えば、上記前面の上記幅方向の端部のそれぞれが、当該端部の屋内側に面した支持面によって支持され、上記建物開口に設置された傾斜面であって上記止水板を下方かつ屋内側へ案内する傾斜面に案内される被案内部が設けられるとともに、上記貫通穴を部分的に覆うカバー部材を備えている。すなわち、上記止水板では、カバー部材が、被案内部および貫通穴のカバーとして機能する。このような構成によれば、例えば、被案内部と貫通穴のカバーとがそれぞれ別の部品によって構成された場合に比べて、部品点数を減らすことができ、製造の手間やコストを低減することができる。
【０００９】
また、上記止水板では、例えば、上記カバー部材は、上記底面、上記後面、および上記止水板の上記幅方向の端面の間の角部を覆っている。すなわち、上記止水板では、カバー部材が、さらに角部のガードとしても機能する。このような構成によれば、例えば、角部のガードが、被案内部、貫通穴のカバー、またはローラの支持部材とは別の部品によって構成された場合に比べて、さらに部品点数を減らすことができ、製造の手間やコストをより一層低減することができる。
【００１０】
また、上記止水板では、例えば、上記カバー部材は、さらに、上記止水板のガイドレールに沿って転動可能なローラを支持している。すなわち、上記止水板では、カバー部材が、さらにローラの支持部材としても機能する。このような構成によれば、例えば、ローラの支持部材が、被案内部、貫通穴のカバー、または角部のガードとは別の部品によって構成された場合に比べて、さらに部品点数を減らすことができ、製造の手間やコストをより一層低減することができる。
【００１１】
また、上記止水板は、例えば、上記幅方向に延びる複数のスラットが上下方向に並んで接続されたシャッターカーテンと、上記シャッターカーテンの下端に取り付けられた上記止水板と、を備えている。このような構成によれば、例えば、止水板付きシャッターにおいて、止水板による効果を得ることができる。
【発明の効果】
【００１２】
本開示によれば、例えば、シール部材によるシール性能をより高めることができるような、より不都合が少なくなるよう改善された新規な構成の止水板を得ることができる。
【図面の簡単な説明】
【００１３】
【図１】図１は、実施形態の止水装置の例示的かつ模式的な正面図であって、シャッターが閉位置に位置された状態の図である。
【図２】図２は、実施形態の止水装置の例示的かつ模式的な側面図であって、シャッターが閉位置に位置された状態の図である。
【図３】図３は、実施形態の止水装置の例示的かつ模式的な側面図であって、シャッターが開位置に位置された状態の図である。
【図４】図４は、実施形態の止水板の下部の建物開口の幅方向から見た例示的かつ模式的な断面図である。
【図５】図５は、実施形態の止水板の建物開口の幅方向の端部の屋内側かつ下方から見た例示的かつ模式的な斜視図である。
【図６】図６は、実施形態の止水板の建物開口の幅方向の端部の下方から見た例示的かつ模式的な平面図である。
【図７】図７は、実施形態の変形例の止水板の案内機構の例示的かつ模式的な側面図である。
【発明を実施するための形態】
【００１４】
以下、本発明の例示的な実施形態および変形例が開示される。以下に示される実施形態および変形例の構成、ならびに当該構成によってもたらされる作用および結果（効果）は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１５】
以下の実施形態および変形例には、同様の構成要素が含まれている。よって、以下では、同様の構成要素には共通の符号が付与されるとともに、重複する説明が省略される場合がある。また、本明細書において、序数は、部品や部位等を区別するために便宜上付与されており、優先順位や順番を示すものではない。
【００１６】
また、各図中、建物開口１の幅方向をＤｗ、上方をＤｕ、下方をＤｌと記す。また、幅方向Ｄｗおよび上方Ｄｕと直交し屋内側に向かう方向を屋内方向と称してＤｉと記し、幅方向Ｄｗおよび上方Ｄｕと直交し屋外側に向かう方向を屋外方向と称してＤｏと記す。また、以下では、特に断らない限り、建物開口１の幅方向を、単に幅方向と称する。また、以下では、単に、便宜上、屋内側を前、屋外側を後と称している。
【００１７】
［実施形態］
図１は、止水装置１０の正面図であって、シャッター１００が閉位置Ｐｃに位置された状態を示す。図２は、止水装置１０の側面図（一部断面図）であって、シャッター１００が閉位置Ｐｃに位置された状態を示す。また、図３は、止水装置１０の側面図（一部断面図）であって、シャッター１００が開位置Ｐｏに位置された状態を示す。また、図４は、止水板１２０の下部を幅方向に見た断面図である。
【００１８】
図１〜３に示されるように、止水装置１０は、上下方向に移動して建物開口１を開閉するシャッター１００を備えている。シャッター１００は、上下開閉式シャッターとも称されうる。建物は、例えば、車庫や、工場、倉庫、ビル、店舗、住宅等の建築構造物であり、自動車等の車両や人間等が建物開口１を介して建物に出入りしうる。
【００１９】
止水装置１０は、建物に設置されている設備として、ガイドレール２１０、巻取装置２２０、および案内機構２３０（図４参照）を備えている。
【００２０】
ガイドレール２１０は、シャッター１００の幅方向両端を上下方向に移動可能に支持している。ガイドレール２１０によって上下移動可能に支持されるシャッター１００は、図１，２に示される閉位置Ｐｃと、図３に示される開位置Ｐｏとの間で移動することができる。
【００２１】
また、ガイドレール２１０は、閉位置Ｐｃに位置されたシャッター１００の幅方向両端を支持する支持部材として機能する。ガイドレール２１０は、閉位置Ｐｃに位置された状態で、洪水等によってシャッター１００に屋外側から水圧が作用した場合、当該シャッター１００をその幅方向の両端で支持する。なお、ガイドレール２１０とは別の部材によって、止水板１２０を支持してもよい。
【００２２】
巻取装置２２０は、建物開口１の上方に隣接して設けられている。巻取装置２２０は、モータおよび巻取軸（不図示）を有している。制御装置（不図示）によって制御されたモータのシャフトの回転に応じて、巻取軸におけるシャッター１００の巻取状態と繰出状態とが切り替わる。巻取状態は、収納状態とも称され、繰出状態は、送出状態とも称されうる。シャッター１００は、巻取軸に巻き取られることにより、建物開口１を開く。また、シャッター１００は、巻取軸から繰り出されることにより、建物開口１を閉じる。
【００２３】
図４に示される案内機構２３０は、シャッター１００が閉じる際に、止水板１２０の幅方向端部を、下方かつ屋内方向に案内する。案内機構２３０の作用については後述する。
【００２４】
図１〜３に示されるように、シャッター１００は、シャッターカーテン１１０と、止水板１２０と、を有している。止水板１２０は、シャッターカーテン１１０の長手方向、すなわち繰出方向の先端に接続されており、図１，２に示されるようなシャッター１００が閉位置Ｐｃに位置されている状態では、止水板１２０は、シャッターカーテン１１０の下方に隣接している。すなわち、止水板１２０は、シャッター１００の長手方向の端部を構成している。シャッター１００は、止水板付きシャッターの一例である。
【００２５】
図１に示されるように、シャッターカーテン１１０は、複数のスラット１１１を有している。各スラット１１１は、帯状かつ板状の形状を有し、シャッター１００の長手方向に一定の幅を有し、シャッター１００の幅方向に延びている。複数のスラット１１１が当該スラット１１１の幅方向、すなわちシャッター１００の長手方向に並べられ、互いに隣接したスラット１１１の幅方向端部同士が回動可能に接続され、これにより、シャッターカーテン１１０が構成されている。シャッターカーテン１１０は、例えば鉄系材料やアルミ二ウム合金のような金属材料によって作られる。
【００２６】
止水板１２０は、シャッターカーテン１１０の長手方向の端部、言い換えるとシャッターカーテン１１０の繰出方向の端部に、接続されており、長方形状かつ板状の形状、言い換えると扁平な直方体状の形状を有している。止水板１２０は、シャッター１００の長手方向に短く、シャッター１００の幅方向に長く、かつシャッター１００の厚さ方向に薄い。図１，２に示されるように、閉位置Ｐｃでは、止水板１２０の幅方向は上下方向に沿い、止水板１２０の長手方向は建物開口１の幅方向に沿い、止水板１２０の厚さ方向は屋内方向（屋外方向）に沿っている。
【００２７】
図５は、止水板１２０の幅方向かつ下方の端部の屋内側の下方から見た斜視図である。図５に示されるように、止水板１２０は、細長いシール部材１２２を有している。シール部材１２２は、例えば合成ゴムのようなエラストマで作られる。
【００２８】
シール部材１２２は、第一区間Ｄ１、第二区間Ｄ２、および第三区間Ｄ３を有している。第一区間Ｄ１、第二区間Ｄ２、および第三区間Ｄ３は、連なっている。第一区間Ｄ１は、止水板１２０の底面１２０ｃ上で幅方向に延びている。第三区間Ｄ３は、止水板１２０の屋内側の前面１２０ａの幅方向の端部１２０ａ１において、当該前面１２０ａの辺に沿って上下方向に延びている。第二区間Ｄ２は、底面１２０ｃ上で屋内方向（屋外方向）に沿って延びている。また、第二区間Ｄ２の屋外方向の端部は、第一区間Ｄ１の幅方向端部と接しており、第二区間Ｄ２の屋内方向の端部は、第三区間Ｄ３の下端と接している。図２，４に示されるように、閉位置Ｐｃにおいて、第一区間Ｄ１および第二区間Ｄ２は、底面１２０ｃと建物開口１の設置面１ａとの間に挟まれ、第三区間Ｄ３は、前面１２０ａとその屋内側に位置する支持面２１０ａとの間に挟まれる。よって、止水板１２０に作用する下方への力によって、第一区間Ｄ１および第二区間Ｄ２が、底面１２０ｃと設置面１ａとの間で弾性的に圧縮され、所要のシール面圧が得られるとともに、止水板１２０に作用する屋内方向への力によって、第三区間Ｄ３が、前面１２０ａと支持面２１０ａとの間で弾性的に圧縮され、所要のシール面圧が得られる。なお、支持面２１０ａは、ガイドレール２１０の一部であってもよいし、例えば支柱のようなガイドレール２１０とは別の部材に設けられてもよい。
【００２９】
図４に示されるように、止水板１２０は、前面１２０ａ、後面１２０ｂ、底面１２０ｃ、および幅方向の二つの側面１２０ｄ（図２参照）を有している。
【００３０】
前面１２０ａは、止水板１２０の屋内方向の端部に位置され、長方形状の形状を有し、屋内方向を向き、上下方向かつ幅方向に延びている。言い換えると、前面１２０ａは、上下方向に一定の幅で、幅方向に延びている。
【００３１】
後面１２０ｂは、止水板１２０の屋外方向の端部に位置され、長方形状の形状を有し、屋外方向を向き、上下方向かつ幅方向に延びている。言い換えると、後面１２０ｂは、上下方向に一定の幅で、幅方向に延びている。
【００３２】
底面１２０ｃは、止水板１２０の下方の端部に位置され、長方形状の形状を有し、下方を向き、屋内方向（屋外方向）および幅方向に延びている。言い換えると、底面１２０ｃは、屋内方向（屋外方向）に一定の幅で、幅方向に延びている。
【００３３】
側面１２０ｄ（図２参照）は、止水板１２０の幅方向の端部に位置され、長方形状の形状を有し、幅方向を向き、屋内方向（屋外方向）および上下方向に延びている。言い換えると、側面１２０ｄは、屋内方向（屋外方向）に一定の幅で、上下方向に延びている。側面１２０ｄは、端面の一例である。
【００３４】
止水板１２０は、中空板１２１、シール部材１２２、およびカバー部材１２３を有している。
【００３５】
中空板１２１は、前壁１２１ａ、後壁１２１ｂ、底壁１２１ｃ、天壁（不図示）、および二つの側壁１２１ｄ（図２参照）を有している。中空板１２１は、例えば、鉄系材料やアルミ二ウム合金のような金属材料によって作られる。
【００３６】
前壁１２１ａは、止水板１２０の屋内方向の端部に位置され、長方形状かつ板状の形状を有し、上下方向かつ幅方向に延びている。前壁１２１ａは、屋内側の前面１２０ａと、当該前面１２０ａとは反対側で屋外側の第一内面１２０ｅ１と、を有している。第一内面１２０ｅ１は、長方形状の形状を有し、屋外方向を向き、上下方向かつ幅方向に延びている。言い換えると、第一内面１２０ｅ１は、上下方向に一定の幅で、幅方向に延びている。
【００３７】
後壁１２１ｂは、止水板１２０の屋外方向の端部に位置され、長方形状かつ板状の形状を有し、上下方向かつ幅方向に延びている。後壁１２１ｂは、屋外側の後面１２０ｂと、当該後面１２０ｂとは反対側で屋内側の第二内面１２０ｅ２と、を有している。第二内面１２０ｅ２は、長方形状の形状を有し、屋内方向を向き、上下方向かつ幅方向に延びている。言い換えると、第二内面１２０ｅ２は、上下方向に一定の幅で、幅方向に延びている。
【００３８】
底壁１２１ｃは、止水板１２０の下方の端部に位置され、長方形状かつ板状の形状を有し、屋内方向（屋外方向）および幅方向に延びている。底壁１２１ｃは、下側の底面１２０ｃと、当該底面１２０ｃとは反対側で上側の第三内面１２０ｅ３と、を有している。第三内面１２０ｅ３は、長方形状の形状を有し、上方を向き、屋内方向（屋外方向）かつ幅方向に延びている。言い換えると、第三内面１２０ｅ３は、屋内方向（屋外方向）に一定の幅で、幅方向に延びている。
【００３９】
側壁１２１ｄ（図２参照）は、止水板１２０の幅方向の端部に位置され、長方形状かつ板状の形状を有し、屋内方向（屋外方向）および上下方向に延びている。
【００４０】
また、不図示の天壁は、止水板１２０の上方の端部に位置され、長方形状かつ板状の形状を有し、屋内方向（屋外方向）および幅方向に延びている。
【００４１】
また、中空板１２１は、前壁１２１ａと後壁１２１ｂとの間で渡される隔壁（不図示）を有している。隔壁は、長方形状かつ板状の形状を有し、屋内方向（屋外方向）および幅方向に延びている。
【００４２】
中空板１２１の内部には、内室１２０ｅが設けられている。内室１２０ｅは、前壁１２１ａ、後壁１２１ｂ、底壁１２１ｃ、二つの側壁１２１ｄ、および隔壁（不図示）によって囲まれている。なお、隔壁に当該隔壁を貫通する開口が設けられる場合、内室１２０ｅは、前壁１２１ａ、後壁１２１ｂ、底壁１２１ｃ、二つの側壁１２１ｄ、および天壁によって囲まれる。内室１２０ｅには、第一内面１２０ｅ１、第二内面１２０ｅ２、および第三内面１２０ｅ３が面している。
【００４３】
シール部材１２２の第一区間Ｄ１および第二区間Ｄ２は、底壁１２１ｃに取り付けられている。底面１２０ｃには、当該底面１２０ｃから上方に凹む凹部（不図示）が設けられており、この凹部内にシール部材１２２に設けられた突起が差し込まれることにより、シール部材１２２の第一区間Ｄ１および第二区間Ｄ２が底壁１２１ｃに取り付けられる。なお、シール部材１２２の第一区間Ｄ１および第二区間Ｄ２の取付手段は、これには限定されない。閉位置Ｐｃにおいて、シール部材１２２の第一区間Ｄ１および第二区間Ｄ２が、底面１２０ｃおよび設置面１ａの双方に密着し、底面１２０ｃおよび設置面１ａによって弾性的に圧縮されることにより、底面１２０ｃと設置面１ａとの間をシールする。
【００４４】
また、シール部材１２２の第三区間Ｄ３は、前壁１２１ａに取り付けられている。前面１２０ａにも、当該前面１２０ａから屋外方向に凹む凹部（不図示）が設けられており、この凹部内にシール部材１２２に設けられた突起が差し込まれることにより、シール部材１２２の第三区間Ｄ３が底壁１２１ｃに取り付けられる。シール部材１２２の第三区間Ｄ３の取付手段は、これには限定されない。閉位置Ｐｃにおいて、シール部材１２２の第三区間Ｄ３が、前面１２０ａおよび支持面２１０ａ（図２参照）の双方に密着し、前面１２０ａおよび支持面２１０ａによって弾性的に圧縮されることにより、前面１２０ａと支持面２１０ａとの間をシールする。
【００４５】
図４に示されるように、シール部材１２２の第一区間Ｄ１は、前壁１２１ａの第一内面１２０ｅ１からは距離ｄ１だけ屋外方向に離間し、かつ後壁１２１ｂの第二内面１２０ｅ２からは屋内方向に距離ｄ２だけ離間して、設けられている。
【００４６】
また、底壁１２１ｃには、シール部材１２２と後壁１２１ｂの第二内面１２０ｅ２との間で、貫通穴１２１ｆが設けられている。貫通穴１２１ｆは、内室１２０ｅ内と、止水板１２０外とを接続している。貫通穴１２１ｆは、屋外側から内室１２０ｅ内に水を導入する導水口として機能するとともに、内室１２０ｅから屋外側へ水を排出する排水口としても機能する。なお、貫通穴１２１ｆにおける導水および排水をより確実に機能させるため、中空板１２１に、例えば、後壁１２１ｂの貫通穴１２１ｆよりも上方となる位置に、内室１２０ｅと止水板１２０外とを接続する空気穴（不図示）が設けられてもよい。
【００４７】
図６は、止水板１２０の幅方向の端部の下方から見た平面図である。図６に示されるように、止水板１２０は、中空板１２１の下方かつ屋外方向かつ幅方向の端部である角部１２１ｇを覆うように、カバー部材１２３が設けられている。図４，６に示されるように、カバー部材１２３は、角部１２３ａ、後壁１２３ｂ、底壁１２３ｃ、および側壁１２３ｄを有している。角部１２３ａは、中空板１２１の角部１２１ｇを覆っている。すなわち、カバー部材１２３は、中空板１２１のコーナーガードとして機能している。これにより、中空板１２１の角部１２１ｇの保護性を高めることができる。
【００４８】
また、底壁１２３ｃは、貫通穴１２１ｆを下方から部分的に覆っている。本実施形態では、底壁１２３ｃには、切欠１２３ｃ１および突起１２３ｃ２が設けられており、突起１２３ｃ２が、貫通穴１２１ｆと上下方向に重なっている。このような構成により、貫通穴１２１ｆの開口幅が小さくなり、貫通穴１２１ｆに作業者の手指等が進入するのを抑制することができる。また、貫通穴１２１ｆから中空板１２１の内部が見え難くなる。なお、貫通穴１２１ｆを部分的に覆う構成は、これには限定されず、例えば、切欠１２３ｃ１および突起１２３ｃ２に替えてスリットあるいは長穴状の開口（貫通穴）が設けられてもよい。
【００４９】
また、側壁１２３ｄには、ガイドレール２１０の側面に沿って転動可能なローラ１２３ｅが設けられている。ローラ１２３ｅは、幅方向に沿った回転中心Ａｘ回りに回転することができる。止水板１２０が上下方向に移動する際、ローラ１２３ｅはガイドレール２１０の屋内側または屋外側の側面に当接して転動することができる。これにより、止水板１２０は円滑に移動することができる。
【００５０】
また、図４に示されるように、底壁１２３ｃと後壁１２３ｂとの間で幅方向に延びた屈曲部１２３ｆの凸曲面１２３ｆ１（外面）は、シャッター１００の止水板１２０が閉位置Ｐｃに向かう際、傾斜面２３０ａに沿って下方かつ前方へスライドし、カバー部材１２３、ひいては止水板１２０が、下方かつ前方に向けて移動する。これにより、シール部材１２２の第一区間Ｄ１および第二区間Ｄ２が、底面１２０ｃと設置面１ａとによって、上下方向に弾性的に圧縮されるとともに、シール部材１２２の第三区間Ｄ３が、前面１２０ａと支持面２１０ａとによって屋内方向（屋外方向）に弾性的に圧縮される。屈曲部１２３ｆは、被案内部の一例である。
【００５１】
以上、説明したように、本実施形態では、シール部材１２２の第一区間Ｄ１は、中空板１２１の前壁１２１ａの第一内面１２０ｅ１から屋外方向に離間し、底面１２０ｃと設置面１ａとの間をシールする。このような構成によれば、例えば、シール部材１２２が前壁１２１ａに寄せてあるいは前壁１２１ａの下方に設けられた構成と比べて、内室１２０ｅ内の水のうち当該第一区間Ｄ１よりも屋内側に存在する水（図４中の領域Ｗ）の重さの分、シール部材１２２に対する上からの押圧力が増大するため、シール部材１２２によるシールに必要な所要の面圧が得られやすくなり、ひいては、シール部材１２２によるシール性能を高めることができる。
【００５２】
また、本実施形態では、中空板１２１の底壁１２１ｃに、シール部材１２２と第二内面１２０ｅ２との間で当該底壁１２１ｃを貫通し底面１２０ｃに開口された貫通穴１２１ｆが設けられている。このような構成によれば、例えば、底面１２０ｃにおいて、貫通穴１２１ｆおよびシール部材１２２を、互いに干渉することなく、かつそれぞれの作用および効果が得られる位置に、配置することができる。
【００５３】
また、本実施形態では、カバー部材１２３が、傾斜面２３０ａに案内される屈曲部１２３ｆ（被案内部）を有するとともに貫通穴１２１ｆのカバーとして機能する。このような構成によれば、例えば、屈曲部１２３ｆと貫通穴１２１ｆのカバーとがそれぞれ別の部品によって構成された場合に比べて、部品点数を減らすことができ、製造の手間やコストを低減することができる。
【００５４】
また、本実施形態では、カバー部材１２３は、底面１２０ｃ、後面１２０ｂ、および側面１２０ｄ（端面）の間の角部１２０ｆを覆っている。すなわち、カバー部材１２３は、さらに止水板１２０の角部１２０ｆのガードとしても機能する。このような構成によれば、例えば、角部１２０ｆのガードが、屈曲部１２３ｆ、貫通穴１２１ｆのカバー、またはローラ１２３ｅの支持部材とは別の部品によって構成された場合に比べて、さらに部品点数を減らすことができ、製造の手間やコストをより一層低減することができる。
【００５５】
また、本実施形態では、カバー部材１２３は、ガイドレール２１０に案内されるローラ１２３ｅの保持部材としても機能する。このような構成によれば、例えば、ローラ１２３ｅの支持部材が、屈曲部１２３ｆ、貫通穴１２１ｆのカバー、または角部１２０ｆのガードとは別の部品によって構成された場合に比べて、さらに部品点数を減らすことができ、製造の手間やコストをより一層低減することができる。
【００５６】
また、本実施形態では、シャッター１００（止水板付きシャッター）は、例えば、シャッターカーテン１１０と、その下端１１０ａに取り付けられた止水板１２０と、を備えている。このような構成によれば、例えば、シャッター１００において、止水板１２０による効果を得ることができる。また、止水板１２０に、下方に向けてシャッターカーテン１１０の重さの分、シール部材１２２に対する上からの押圧力が増大するため、シール部材１２２によるシールに必要な所要の面圧が得られやすくなり、ひいては、シール部材１２２によるシール性能を高めることができる。
【００５７】
［案内機構の変形例］
図７は、案内機構２３０Ａの変形例を示す側面図である。案内機構２３０Ａは、上記実施形態の案内機構２３０に替えて適用することができる。案内機構２３０Ａは、幅方向に延びる揺動中心Ｃ回りに回動する揺動アーム２３０ｂを有している。揺動アーム２３０ｂの先端には、止水板１２０の角部１２０ｆを受け入れる受部２３０ｃが設けられ、この受部２３０ｃには、止水板１２０の角部１２０ｆおよび後面１２０ｂを屋内方向に押圧する押圧片２３０ｄ（押圧部）が設けられている。また、図示しないが、案内機構２３０Ａは、例えばトーションスプリングのような、揺動アーム２３０ｂを上方へ付勢する付勢部材を有しており、揺動アーム２３０ｂの受部２３０ｃの初期位置（二点鎖線）は、被押圧位置（実線）よりも上方かつ屋外方向に離れている。
【００５８】
このような案内機構２３０Ａによれば、止水板１２０は、閉位置Ｐｃに向けて下方へ移動する際、受部２３０ｃによって保持され、揺動アーム２３０ｂの回動軌跡（揺動軌跡）に沿って下方かつ屋内方向へ移動するとともに、押圧片２３０ｄによって屋内方向へ押圧される。このような構成の案内機構２３０Ａによっても、シール部材１２２の第三区間Ｄ３が、前面１２０ａと支持面２１０ａとによって、屋内方向（屋外方向）に、より大きな押圧力によって、弾性的に圧縮されうる。
【００５９】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００６０】
例えば、上記実施形態では、シャッターが止水板を有した構成が開示されたが、これには限定されず、本発明は、シャッターに取り付けられない止水板にも、適用することができる。
【符号の説明】
【００６１】
１…建物開口、１ａ…設置面、１００…シャッター（止水板付きシャッター）、１１０  シャッターカーテン、１１０ａ…下端、１２０…止水板、１２０ａ…前面、１２０ａ１…端部（前面の幅方向の端部）、１２０ｂ…後面、１２０ｃ…底面、１２０ｄ…側面（端面）、１２０ｅ…内室、１２０ｅ１…第一内面、１２０ｅ２…第二内面、１２０ｅ３…第三内面、１２０ｆ…角部、１２１…中空板、１２１ａ…前壁、１２１ｂ…後壁、１２１ｃ…底壁、１２１ｆ…貫通穴、１２２…シール部材、１２３…カバー部材、１２３ｅ…ローラ、１２３ｆ…屈曲部（被案内部）、２１０…ガイドレール、２１０ａ…支持面、２３０ａ…傾斜面。
【図１】
2020172811.tif 000003
【図２】
2020172811.tif 000004
【図３】
2020172811.tif 000005
【図４】
2020172811.tif 000006
【図５】
2020172811.tif 000007
【図６】
2020172811.tif 000008
【図７】
2020172811.tif 000009